(57)【要約】【課題】省電力化を図りつつ写真の撮影日に画像データが送信されない可能性を低減することが可能な写真撮影システム及びデータ送信方法を提供すること。【解決手段】写真撮影システム１では、制御装置３０及び送信装置４０にそれぞれＵＰＳ５０及びＵＰＳ６０が接続されている。そして、制御装置３０は、ＵＰＳ５０から第１電力停止信号を受信した場合に、予め設定されたシャットダウン処理を実行する。一方、送信装置４０は、ＵＰＳ６０から第２電力停止信号を受信した場合でも、画像データの送信を継続させる。【選択図】図２
2015046702.tif 000002
【特許請求の範囲】
【請求項１】
被写体を撮影する撮影手段と、
写真撮影システムを制御する制御装置と、
前記撮影手段により撮影されて前記制御装置から送信される画像データを外部装置に順次送信する送信装置と、
商用交流電源及び前記制御装置の間に介在し、前記商用交流電源からの電力供給が停止した場合に前記制御装置に電力を供給する二次電源を有すると共に、前記電力供給が停止した場合に第１電力停止信号を前記制御装置に送信する第１無停電電源装置と、
前記商用交流電源及び前記送信装置の間に介在し、前記商用交流電源からの電力供給が停止した場合に前記送信装置に電力を供給する二次電源を有すると共に、前記電力供給が停止した場合に第２電力停止信号を前記送信装置に送信する第２無停電電源装置と、
を備え、
前記制御装置が、前記第１無停電電源装置から前記第１電力停止信号を受信した場合に、予め設定されたシャットダウン処理を実行する第１電源制御手段を備え、
前記送信装置が、前記第２無停電電源装置から前記第２電力停止信号を受信した場合でも、前記画像データの送信を継続させることが可能な第２電源制御手段を備える写真撮影システム。
【請求項２】
前記第２電源制御手段が、前記第２無停電電源装置から前記第２電力停止信号を受信した場合であって、未送信の前記画像データが存在する場合に、前記画像データの送信を継続させる請求項１に記載の写真撮影システム。
【請求項３】
前記制御装置が、前記撮影手段で撮影された前記画像データが順次記憶される第１データ記憶部と、前記第１データ記憶部に記憶されている前記画像データを前記送信装置に順次送信する第１送信制御手段と、前記送信装置から送信完了通知を受信した場合に該送信完了通知に対応する前記画像データを前記第１データ記憶部から消去する第１消去手段と、を更に備え、
前記送信装置が、前記制御装置から受信する前記画像データが順次記憶される第２データ記憶部と、前記第２データ記憶部に記憶されている前記画像データを前記外部装置に順次送信する第２送信制御手段と、前記第２送信制御手段による前記画像データの送信が完了した場合に該画像データに対応する前記送信完了通知を前記制御装置に通知する完了通知手段と、前記第２送信制御手段による前記画像データの送信が完了した場合に該画像データを前記第２データ記憶部から消去する第２消去手段と、を更に備える請求項１又は２に記載の写真撮影システム。
【請求項４】
前記制御装置が、前記送信装置の動作状態を判定する状態判定手段と、前記状態判定手段により前記送信装置が非動作状態であると判定された場合に前記第１データ記憶部に記憶されている前記画像データを前記外部装置に送信する第３送信制御手段と、を更に備える請求項３に記載の写真撮影システム。
【請求項５】
前記第２電源制御手段が、前記第２無停電電源装置から前記第２電力停止信号を受信した場合であって、未送信の前記画像データが存在しない場合は、予め設定されたシャットダウン処理を実行する請求項１〜４のいずれかに記載の写真撮影システム。
【請求項６】
被写体を撮影する撮影手段と、写真撮影システムを制御する制御装置と、前記撮影手段により撮影されて前記制御装置から送信される画像データを外部装置に順次送信する送信装置と、商用交流電源及び前記制御装置の間に介在し、前記商用交流電源からの電力供給が停止した場合に前記制御装置に電力を供給する二次電源を有すると共に、前記電力供給が停止した場合に第１電力停止信号を前記制御装置に送信する第１無停電電源装置と、前記商用交流電源及び前記送信装置の間に介在し、前記商用交流電源からの電力供給が停止した場合に前記送信装置に電力を供給する二次電源を有すると共に、前記電力供給が停止した場合に第２電力停止信号を前記送信装置に送信する第２無停電電源装置と、を備える写真撮影システムで実行されるデータ送信方法であって、
前記制御装置が、前記第１無停電電源装置から前記第１電力停止信号を受信した場合に、予め設定されたシャットダウン処理を実行し、
前記送信装置が、前記第２無停電電源装置から前記第２電力停止信号を受信した場合でも、前記画像データの送信を継続させることが可能なデータ送信方法。
【発明の詳細な説明】
【技術分野】
【０００１】
本発明は、被写体を撮影する写真撮影システム及び写真撮影システムで実行されるデータ送信方法に関する。
【背景技術】
【０００２】
一般に、ゲームセンターなどのアミューズメント施設に設置され、ユーザーを撮影してシール等に印刷する写真撮影システムが知られている（例えば、特許文献１参照）。また、この種の写真撮影システムは、撮影後の画像データを外部のサーバーに送信する機能を有することがある。これにより、例えば、ユーザーは、携帯電話、スマートフォン、タブレット端末、又はパーソナルコンピューターなどの情報端末を用いたサーバーからのダウンロードによって撮影後の画像データを取得することができる。
【先行技術文献】
【特許文献】
【０００３】
【特許文献１】特開２００３−２０３２７３号公報
【発明の概要】
【発明が解決しようとする課題】
【０００４】
ところで、アミューズメント施設では、閉店時に写真撮影システムの電源を切ることにより省電力化が図られる。しかしながら、写真撮影システムの電源が切られたときに、写真撮影システムからサーバーに送信されていない画像データが存在する場合には、ユーザーが写真の撮影日に画像データを取得することができないという問題が生じる。なお、写真撮影システムの電源が常時ＯＮにされていればこのような問題は生じないが、この場合には省電力化が阻害される。また、ＵＰＳ（無停電電源装置）がコンピューターに接続されることがあるが（例えば、特許文献１参照）、従来のＵＰＳの使用目的は、電力供給が突然停止した場合に正常なシャットダウン処理を行ってデータの消失を防止することにある。
【０００５】
本発明の目的は、省電力化を図りつつ写真の撮影日に画像データが送信されない可能性を低減することが可能な写真撮影システム及びデータ送信方法を提供することにある。
【課題を解決するための手段】
【０００６】
本発明に係る写真撮影システムは、撮影手段、制御装置、送信装置、第１無停電電源装置、第２無停電電源装置を備える。前記撮影手段は、被写体を撮影するために用いられる。前記制御装置は、前記写真撮影システムを制御する。前記送信装置は、前記撮影手段により撮影されて前記制御装置から送信される画像データを外部装置に順次送信する。前記第１無停電電源装置は、商用交流電源及び前記制御装置の間に介在して設けられる。また、前記第１無停電電源装置は、前記商用交流電源からの電力供給が停止した場合に前記制御装置に電力を供給する二次電源を有する。さらに、前記第１無停電電源装置は、前記電力供給が停止した場合に第１電力停止信号を前記制御装置に送信する。前記第２無停電電源装置は、前記商用交流電源及び前記送信装置の間に介在して設けられる。また、前記第２無停電電源装置は、前記商用交流電源からの電力供給が停止した場合に前記送信装置に電力を供給する二次電源を有する。さらに、前記第２無停電電源装置は、前記電力供給が停止した場合に第２電力停止信号を前記送信装置に送信する。そして、前記制御装置は、前記第１無停電電源装置から前記第１電力停止信号を受信した場合に、予め設定されたシャットダウン処理を実行する第１電源制御手段を備える。また、前記送信装置は、前記第２無停電電源装置から前記第２電力停止信号を受信した場合でも、前記画像データの送信を継続させることが可能な第２電源制御手段を備える。
【０００７】
本発明に係るデータ送信方法は、撮影手段、制御装置、送信装置、第１無停電電源装置、第２無停電電源装置を備える写真撮影システムで実行されるデータ送信方法である。前記撮影手段は、被写体を撮影するために用いられる。前記制御装置は、前記写真撮影システムを制御する。前記送信装置は、前記撮影手段により撮影されて前記制御装置から送信される画像データを外部装置に順次送信する。前記第１無停電電源装置は、商用交流電源及び前記制御装置の間に介在して設けられる。また、前記第１無停電電源装置は、前記商用交流電源からの電力供給が停止した場合に前記制御装置に電力を供給する二次電源を有する。さらに、前記第１無停電電源装置は、前記電力供給が停止した場合に第１電力停止信号を前記制御装置に送信する。前記第２無停電電源装置は、前記商用交流電源及び前記送信装置の間に介在して設けられる。また、前記第２無停電電源装置は、前記商用交流電源からの電力供給が停止した場合に前記送信装置に電力を供給する二次電源を有する。さらに、前記第２無停電電源装置は、前記電力供給が停止した場合に第２電力停止信号を前記送信装置に送信する。そして、前記データ送信方法では、前記制御装置が、前記第１無停電電源装置から前記第１電力停止信号を受信した場合に、予め設定されたシャットダウン処理を実行する。一方、前記送信装置は、前記第２無停電電源装置から前記第２電力停止信号を受信した場合でも、前記画像データの送信を継続させることが可能である。
【発明の効果】
【０００８】
本発明によれば、省電力化を図りつつ写真の撮影日に画像データが送信されない可能性を低減することが可能な写真撮影システム及びデータ送信方法が実現される。
【図面の簡単な説明】
【０００９】
【図１】本発明の実施の形態に係る写真撮影システムの外観を示す斜視図。
【図２】本発明の実施の形態に係る写真撮影システムの構成を示すブロック図。
【図３】本発明の実施の形態に係る写真撮影システムで使用されるキューイングリストのデータ構造の一例を示す図。
【図４】本発明の実施の形態に係る写真撮影システムの制御装置で実行されるメイン制御処理の手順の一例を示すフローチャート。
【図５】本発明の実施の形態に係る写真撮影システムの制御装置で実行されるキュー同期処理の手順の一例を示すフローチャート。
【図６】本発明の実施の形態に係る写真撮影システムの制御装置で実行されるキュー登録処理の手順の一例を示すフローチャート。
【図７】本発明の実施の形態に係る写真撮影システムの制御装置で実行される送信制御処理の手順の一例を示すフローチャート。
【図８】本発明の実施の形態に係る写真撮影システムの制御装置で実行される第１電源制御処理の手順の一例を示すフローチャート。
【図９】本発明の実施の形態に係る写真撮影システムの送信装置で実行される代替送信処理の手順の一例を示すフローチャート。
【図１０】本発明の実施の形態に係る写真撮影システムの送信装置で実行される第２電源制御処理の手順の一例を示すフローチャート。
【図１１】本発明の実施の形態に係る写真撮影システムに接続されるサーバーで実行される受信制御処理の手順の一例を示すフローチャート。
【発明を実施するための形態】
【００１０】
以下添付図面を参照しながら、本発明の実施形態について説明し、本発明の理解に供する。なお、以下の実施形態は、本発明を具体化した一例であって、本発明の技術的範囲を限定する性格のものではない。
【００１１】
［写真撮影システム１］
まず、図１及び図２を参照しつつ、本発明の実施の形態に係る写真撮影システム１の構成について説明する。なお、写真撮影システム１は、ゲームセンターなどのアミューズメント施設に設置されて使用される。
【００１２】
図１に示すように、写真撮影システム１の設置空間は、撮影コーナー１０及び落書きコーナー２０に大別される。撮影コーナー１０は、写真撮影が行われる場所であり、落書きコーナー２０は、撮影後の画像データの編集が行われる場所である。
【００１３】
そして、写真撮影システム１は、図２に示すように、撮影コーナー１０に配置されたカメラ１１、操作表示部１２、スピーカー１３、及びストロボ１４などを備える。カメラ１１は、被写体であるユーザーを撮影する撮影手段である。操作表示部１２は、表示部及び操作部を有する。前記表示部は、各種の情報を表示する液晶ディスプレイ又は有機ＥＬディスプレイなどである。前記操作部は、ユーザー操作を受け付けるハードキー又はタッチパネルなどである。スピーカー１３は、撮影コーナー１０に存在するユーザーに対して各種の音声案内を行うために用いられる。ストロボ１４は、カメラ１１による撮影時に発光する発光装置である。
【００１４】
また、写真撮影システム１は、図１及び図２に示すように、落書きコーナー２０に配置された操作表示部２１、タッチペン２２、スピーカー２３、及びプリンター２４などを備える。なお、写真撮影システム１では、図１に示す落書きコーナー２０の背面側にも、操作表示部２１、タッチペン２２、及びスピーカー２３が設けられており、異なる二組のユーザーに対して並行して編集作業を提供することが可能である。
【００１５】
操作表示部２１は、表示部及び操作部を有する。前記表示部は、各種の情報を表示する液晶ディスプレイ又は有機ＥＬディスプレイなどである。前記操作部は、ユーザー操作を受け付けるハードキー又はタッチパネルなどである。タッチペン２２は、操作表示部２１のタッチパネルに対するタッチ操作を行うために用いられる。スピーカー２３は、落書きコーナー２０に存在するユーザーに対して各種の音声案内を行うために用いられる。プリンター２４は、カメラ１１で撮影された画像データに基づいてシールなどの記録媒体に画像を形成する画像形成手段であって、プリンター２４で印刷された後の前記記録媒体は取り出し口２５から排出される。
【００１６】
さらに、図２に示すように、写真撮影システム１は、制御装置３０、送信装置４０、ＵＰＳ５０、ＵＰＳ６０、ルーター７０、及び無線端末８０などを備える。制御装置３０、送信装置４０、ＵＰＳ５０、ＵＰＳ６０、及びルーター７０などは、写真撮影システム１の落書きコーナー２０側の筐体内に設けられており、メンテナンス扉２６を開くことによりアクセス可能である。
【００１７】
ルーター７０は、制御装置３０及び送信装置４０と無線端末８０とを接続する中継装置である。無線端末８０は、インターネットなどの通信網１００を介して外部装置との間で無線通信方式のデータ通信を実行するデータ通信カードなどの無線通信機器である。具体的に、写真撮影システム１は、写真撮影システム１が配置された前記アミューズメント施設の外部に設けられたサーバー２００に通信網１００を介して接続される。なお、サーバー２００には、通信網１００を介して一又は複数の写真撮影システム１が接続可能である。また、サーバー２００には、通信網１００を介して一又は複数の通信端末３００が接続可能である。
【００１８】
なお、無線端末８０は、制御装置３０等と共に写真撮影システム１の落書きコーナー２０側の筐体に設けられていてもよいが、電波状況を考慮して写真撮影システム１の上部の開放空間などに設置されることが望ましい。また、写真撮影システム１が無線端末８０を備えておらず、ルーター７０を介して有線通信方式でデータ通信を実行することも考えられる。
【００１９】
［サーバー２００］
サーバー２００は、制御２０１、記憶部２０２、及び通信Ｉ／Ｆ２０３などを備えるコンピューターである。なお、写真撮影システム１にサーバー２００を加えた構成を本発明に係る写真撮影システムとして捉えてもよい。制御部２０１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶手段である。前記ＲＡＭは、各種の情報を記憶する揮発性の記憶手段であり、前記ＣＰＵが実行する各種の処理の一時記憶メモリー（作業領域）として使用される。そして、制御部２０１は、前記ＲＯＭに予め記憶された各種の制御プログラムを前記ＣＰＵで実行することによりサーバー２００を制御する。
【００２０】
記憶部２０２は、ハードディスク又はＳＳＤなどの記憶手段であり、制御部２０１は、記憶部２０２への情報の記憶及び記憶部２０２からの情報の読み出しが可能である。通信Ｉ／Ｆ２０３は、サーバー２００を通信網１００に接続し、通信網１００を介して写真撮影システム１又は通信端末３００との間でデータ通信を実行するための通信インターフェースである。
【００２１】
具体的に、サーバー２００において、制御部２０１は、後述の受信制御処理（図１１参照）を実行することにより、写真撮影システム１から受信する撮影後の画像データを記憶部２０２に記憶して管理する。これにより、ユーザーは、通信端末３００を用いてサーバー２００にアクセスし、記憶部２０２に記憶されている前記画像データのダウンロードを実行することが可能である。なお、サーバー２００が、メールなどにより通信端末３００に対して能動的に前記画像データを送信する構成であってもよい。
【００２２】
［ＵＰＳ５０及びＵＰＳ６０］
ＵＰＳ５０及びＵＰＳ６０は、電源スイッチ３を介して商用交流電源２に接続される。電源スイッチ３は、例えば写真撮影システム１の落書きコーナー２０側の筐体の底面に設けられており、写真撮影システム１の電源を一括してＯＮ／ＯＦＦにするために操作される。
【００２３】
ＵＰＳ５０は、商用交流電源２及び制御装置３０の間に介在して設けられている。そして、ＵＰＳ５０は、商用交流電源２から電力が供給されている場合は、その電力を制御装置３０に供給する。また、ＵＰＳ５０は、商用交流電源２からの電力供給が停止した場合に制御装置３０に電力を供給する二次電源５１を有する。なお、二次電源５１は、商用交流電源２からの供給電力によって充電される蓄電池である。さらに、ＵＰＳ５０は、電源スイッチ３が切られた場合、又は商用交流電源２が停電した場合に、制御装置３０に第１電力停止信号を送信する。なお、ＵＰＳ５０は、商用交流電源２からの電力供給が再開した場合に、制御装置３０に電力復旧信号を送信する。
【００２４】
一方、ＵＰＳ６０は、商用交流電源２及び送信装置４０の間に介在して設けられている。そして、ＵＰＳ６０は、商用交流電源２から電力が供給されている場合は、その電力を送信装置４０に供給する。また、ＵＰＳ６０は、商用交流電源２からの電力供給が停止した場合に送信装置４０に電力を供給する二次電源６１を有する。なお、二次電源６１は、商用交流電源２からの供給電力によって充電される蓄電池である。さらに、ＵＰＳ６０は、電源スイッチ３が切られた場合、又は商用交流電源２が停電した場合に、送信装置４０に第２電力停止信号を送信する。なお、ＵＰＳ６０は、商用交流電源２からの電力供給が再開した場合に、送信装置４０に電力復旧信号を送信する。
【００２５】
［制御装置３０］
制御装置３０は、制御部３１、記憶部３２、及び通信Ｉ／Ｆ３３などを備えるコンピューターである。制御装置３０は、ＵＰＳ５０を介して商用交流電源２に接続されており、商用交流電源２又はＵＰＳ５０からの供給電力によって稼動する。なお、制御装置３０は、１台のコンピューターに限らず、複数台のコンピューターが協働して動作するコンピューターシステムであってもよい。
【００２６】
制御部３１は、ＣＰＵ、ＲＯＭ、ＲＡＭ、及びＥＥＰＲＯＭなどの制御機器を有する。前記ＣＰＵは、各種の演算処理を実行するプロセッサーである。前記ＲＯＭ又は前記ＥＥＰＲＯＭは、前記ＣＰＵに各種の処理を実行させるためのＢＩＯＳ及びＯＳなどの制御プログラムが予め記憶された不揮発性の記憶手段である。前記ＲＡＭは、各種の情報を記憶する揮発性の記憶手段であり、前記ＣＰＵが実行する各種の処理の一時記憶メモリー（作業領域）として使用される。そして、制御部３１は、前記ＲＯＭ、前記ＥＥＰＲＯＭ、又は記憶部３２に予め記憶された各種の制御プログラムを前記ＣＰＵで実行することにより写真撮影システム１を統括的に制御する。
【００２７】
記憶部３２は、ハードディスク又はＳＳＤなどの記憶手段である。具体的に、記憶部３２には、プログラム記憶部３２１及び第１データ記憶部３２２が含まれる。プログラム記憶部３２１は、制御部３１に後述のメイン制御処理（図４〜図６参照）、送信制御処理（図７参照）、及び第１電源制御処理（図８参照）を実行させるための制御プログラムが記憶される記憶領域である。
【００２８】
また、第１データ記憶部３２２は、カメラ１１で撮影された画像データが順次記憶される記憶領域である。ここで、第１データ記憶部３２２における前記画像データの管理は、制御部３１によって実行されるキューイング処理によって行われる。具体的に、制御部３１は、前記キューイング処理として、第１データ記憶部３２２に対して前記画像データを順次記憶させると共に、前記画像データを記憶された順で前記第１データ記憶部３２２から出力する処理を実行する。
【００２９】
ここに、図３は、前記キューイング処理で使用されるキューイングリストＤ１のデータ構造の一例を示す図である。なお、キューイングリストＤ１も第１データ記憶部３２２に記憶される。図３に示すように、キューイングリストＤ１には、前記画像データ各々に対応する固有番号、画像番号、及び画像情報などのキュー情報が含まれる。前記固有番号は、各プレイを識別するためのプレイＩＤなどの情報であり、前記画像番号は、同一プレイにおける各画像データを識別するためにプレイごとに割り当てられる画像ＩＤなどの情報である。また、前記画像情報は、前記固有番号及び前記画像番号に対応する前記画像データを識別するためのファイル名などである。そして、制御部３１は、前記画像データを第１データ記憶部３２２に記憶する際に、前記画像データに対応する前記キュー情報をキューイングリストＤ１に上から順に登録する。
【００３０】
通信Ｉ／Ｆ３３は、制御装置３０を送信装置４０及びルーター７０に接続し、送信装置４０及びルーター７０各々との間でデータ通信を実行するための通信インターフェースである。
【００３１】
また、制御部３１は、撮影制御部３１１、編集制御部３１２、画像生成部３１３、記憶処理部３１４、第１送信制御部３１５、第１消去部３１６、状態判定部３１７、第３送信制御部３１８、及び第１電源制御部３１９などを含む。具体的に、制御部３１は、前記ＣＰＵにより前記制御プログラムに従った各種の処理を実行することにより、撮影制御部３１１、編集制御部３１２、画像生成部３１３、記憶処理部３１４、第１送信制御部３１５、第１消去部３１６、状態判定部３１７、第３送信制御部３１８、及び第１電源制御部３１９として機能する。
【００３２】
ここに、第１送信制御部３１５、第１消去部３１６、状態判定部３１７、第３送信制御部３１８、及び第１電源制御部３１９として機能するときの制御部３１が、第１送信制御手段、第１消去手段、状態判定手段、第３送信制御手段、及び第１電源制御手段の一例である。なお、制御部３１が電子回路である場合、撮影制御部３１１、編集制御部３１２、画像生成部３１３、記憶処理部３１４、第１送信制御部３１５、第１消去部３１６、状態判定部３１７、第３送信制御部３１８、及び第１電源制御部３１９は、それぞれの機能を実現する回路モジュールである。
【００３３】
撮影制御部３１１は、撮影コーナー１０内のユーザーを撮影するための撮影処理を実行する。具体的に、前記撮影処理において、撮影制御部３１１は、写真撮影に関する案内をスピーカー１３から出力させると共に、操作表示部１２に対するユーザー操作に応じて写真の撮影方法などを設定する。そして、撮影制御部３１１は、カメラ１１及びストロボ１４を制御することによりユーザーを撮影する。なお、撮影制御部３１１で撮影された画像データは、制御部３１の前記ＥＥＰＲＯＭ又は記憶部３２に一時的に記憶される。
【００３４】
編集制御部３１２は、カメラ１１で撮影された前記画像データを編集するための落書き処理を実行する。具体的に、前記落書き処理において、編集制御部３１２は、前記画像データの編集操作に関する案内をスピーカー２３から出力させると共に、タッチペン２２を用いた操作表示部２１に対するユーザー操作に応じて前記画像データを編集する。
【００３５】
画像生成部３１３は、編集制御部３１２によって実行された前記落書き処理における編集内容に基づいて印刷用の画像データ及び送信用の画像データを生成する。例えば、前記送信用の画像データは、前記印刷用の画像データよりも低画質又は小サイズの画像データである。そして、画像生成部３１３により生成された前記印刷用の画像データは、制御部３１からプリンター２４に送信され、プリンター２４によって印刷される。
【００３６】
記憶処理部３１４は、画像生成部３１３により生成された前記送信用の画像データを記憶部３２の第１データ記憶部３２２に順次記憶させると共に、前記画像データに対応する前記キュー情報をキューイングリストＤ１に登録する。なお、前記送信用の画像データには、例えばヘッダー情報として、ユーザーＩＤ、プレイＩＤ、画像ＩＤ、固有番号、画像番号、及び画像情報などのように各ユーザー又は各プレイを特定することが可能なプレイ情報が付加されている。
【００３７】
第１送信制御部３１５は、第１データ記憶部３２２に記憶されている前記画像データを送信装置４０に順次送信する。これにより、前記画像データは、送信装置４０からサーバー２００に送信されることになる。具体的に、第１送信制御部３１５は、第１データ記憶部３２２に記憶されている画像データを、第１データ記憶部３２２への記憶順序が早いものから順に送信する。但し、後述するように、第１送信制御部３１５は、送信装置４０が非動作状態である場合には送信装置４０への前記画像データの送信を停止することになる。
【００３８】
第１消去部３１６は、送信装置４０から後述の送信完了通知を受信した場合に該送信完了通知に対応する前記画像データを第１データ記憶部３２２から消去すると共に、前記画像データに対応する前記キュー情報をキューイングリストＤ１から消去する。即ち、制御装置３０では、第１データ記憶部３２２に記憶されている前記画像データが、送信装置４０から前記送信完了通知が受信されるまで保持される。
【００３９】
状態判定部３１７は、送信装置４０の動作状態を判定する。具体的に、状態判定部３１７は、送信装置４０に対して予め設定された周期で監視信号を送信し、送信装置４０から応答信号を受信した場合に、送信装置４０が動作状態であると判定する。また、状態判定部３１７は、前記監視信号を送信後、予め設定された所定時間の間に送信装置４０から前記応答信号が受信されない場合に、送信装置４０が非動作状態であると判定する。なお、送信装置４０の動作状態を判定するための手法はこれに限らない。例えば、状態判定部３１７が、送信装置４０から予め設定された間隔で能動的に送信される監視信号が受信されなくなった場合に送信装置４０が非動作状態であると判定することも考えられる。
【００４０】
第３送信制御部３１８は、状態判定部３１７により送信装置４０が非動作状態であると判定された場合に、第１データ記憶部３２２に記憶されている前記画像データをサーバー２００に送信する。一方、第３送信制御部３１８は、状態判定部３１７により送信装置４０が動作状態であると判定されている間は、サーバー２００への前記画像データの送信を実行しない。即ち、写真撮影システム１では、送信装置４０が正常に動作している場合には、前記画像データが制御装置３０から送信装置４０を経てサーバー２００に送信され、送信装置４０が正常に動作していない場合には、前記画像データが制御装置３０からサーバー２００に直接送信される。
【００４１】
第１電源制御部３１９は、ＵＰＳ５０から前記第１電力停止信号を受信した場合に、予め設定されたシャットダウン処理を実行し、制御装置３０の電源をＯＦＦにする。これにより、制御装置３０では、商用交流電源２からの電力供給が突然停止した場合でも、正常なシャットダウン処理を行ってデータの消失を防止することができる。なお、制御装置３０は、次に商用交流電源２からＵＰＳ５０への電力供給が開始された場合にＵＰＳ５０から送信される起動信号を受信した場合に起動する。
【００４２】
［送信装置４０］
一方、送信装置４０は、制御部４１、記憶部４２、及び通信Ｉ／Ｆ４３などを備え、カメラ１１で撮影されて制御装置３０から送信される前記画像データをサーバー２００に順次送信する小型のデータサーバーである。送信装置４０は、ＵＰＳ６０を介して商用交流電源２に接続されており、商用交流電源２又はＵＰＳ６０からの供給電力によって稼動する。
【００４３】
制御部４１は、ＣＰＵ、ＲＯＭ、ＲＡＭ、及びＥＥＰＲＯＭなどの制御機器を有する。前記ＣＰＵは、各種の演算処理を実行するプロセッサーである。前記ＲＯＭ又は前記ＥＥＰＲＯＭは、前記ＣＰＵに各種の処理を実行させるためのＢＩＯＳ及びＯＳなどの制御プログラムが予め記憶された不揮発性の記憶手段である。前記ＲＡＭは、各種の情報を記憶する揮発性の記憶手段であり、前記ＣＰＵが実行する各種の処理の一時記憶メモリー（作業領域）として使用される。そして、制御部４１は、前記ＲＯＭ、前記ＥＥＰＲＯＭ、又は記憶部４２に予め記憶された各種の制御プログラムを前記ＣＰＵで実行することにより送信装置４０を制御する。
【００４４】
記憶部４２は、ハードディスク又はＳＳＤなどの記憶手段である。具体的に、記憶部４２には、プログラム記憶部４２１及び第２データ記憶部４２２が含まれる。プログラム記憶部４２１は、制御部４１に、後述の代替送信処理（図９参照）、及び第２電源制御処理（図１０参照）を実行させるための制御プログラムが記憶される記憶領域である。
【００４５】
また、第２データ記憶部４２２は、制御装置３０から受信する前記画像データが順次記憶される記憶領域である。ここで、第２データ記憶部４２２における前記画像データの管理は、制御装置３０の制御部３１と同様に、制御部４１によって実行されるキューイング処理によって行われる。なお、制御部４１によって実行される前記キューイング処理でも、図３に示すキューイングリストＤ１と同様のキューイングリストＤ２が使用され、キューイングリストＤ２は第２データ記憶部４２２に記憶される。具体的に、制御部４１は、前記画像データを第２データ記憶部４２２に記憶する際に、前記画像データに対応する前記キュー情報をキューイングリストＤ２に上から順に登録する。
【００４６】
通信Ｉ／Ｆ４３は、送信装置４０を制御装置３０及びルーター７０に接続し、制御装置３０及びルーター７０各々との間でデータ通信を実行するための通信インターフェースである。
【００４７】
そして、制御部４１は、第２送信制御部４１１、完了通知部４１２、第２消去部４１３、及び第２電源制御部４１４を含む。具体的に、制御部４１は、前記ＣＰＵにより前記制御プログラムに従った各種の処理を実行することにより、第２送信制御部４１１、完了通知部４１２、第２消去部４１３、及び第２電源制御部４１４として機能する。
【００４８】
ここに、第２送信制御部４１１、完了通知部４１２、第２消去部４１３、及び第２電源制御部４１４として機能するときの制御部４１が、第２送信制御手段、完了通知手段、第２消去手段、及び第２電源制御手段の一例である。なお、制御部４１が電子回路である場合、第２送信制御部４１１、完了通知部４１２、第２消去部４１３、及び第２電源制御部４１４は、それぞれの機能を実現する回路モジュールである。
【００４９】
第２送信制御部４１１は、第２データ記憶部４２２に記憶されている前記画像データをサーバー２００に順次送信する。具体的に、第２送信制御部４１１は、第２データ記憶部４２２に記憶されている前記画像データを、キューイングリストＤ２に基づいて第２データ記憶部４２２への記憶順序が早いものから順に送信する。
【００５０】
完了通知部４１２は、第２送信制御部４１１による前記画像データの送信が完了した場合に該画像データに対応する送信完了通知を制御装置３０に送信する。具体的に、完了通知部４１２は、第２送信制御部４１１によりサーバー２００に前記画像データが送信された後、サーバー２００から受信完了通知を受信した場合に前記画像データの送信が完了したと判断し、前記送信完了通知を制御装置３０に送信する。
【００５１】
第２消去部４１３は、サーバー２００から前記受信完了通知を受信した場合に前記受信完了通知に対応する前記画像データを第２データ記憶部４２２から消去すると共に、前記画像データに対応する前記キュー情報をキューイングリストＤ２から消去する。即ち、送信装置４０では、第２データ記憶部４２２に記憶されている前記画像データが、サーバー２００から前記受信完了通知が受信されるまで保持される。
【００５２】
第２電源制御部４１４は、ＵＰＳ６０から前記第２電力停止信号を受信した場合に、未送信の前記画像データの有無に応じて予め設定された異なる処理を実行する。具体的に、第２電源制御部４１４は、前記第２電力停止信号を受信したときに未送信の前記画像データが存在する場合には、第２送信制御部４１１によって実行される前記画像データの送信を継続させる。一方、第２電源制御部４１４は、前記第２電力停止信号を受信したときに未送信の前記画像データが存在しない場合、又は前記第２電力停止信号を受信した後に未送信の前記画像データの送信が完了した場合には、予め設定されたシャットダウン処理を実行し、送信装置４０の電源をＯＦＦにする。このように，写真撮影システム１では、商用交流電源２からの電力供給が停止した場合における制御装置３０及び送信装置４０の動作が異なる。また、第２電源制御部４１４が、前記第２電力停止信号を受信した場合に、未送信の前記画像データの有無を判断することなく送信装置４０の稼動を継続させることも他の実施形態として考えられる。この場合でも、結果として、第２電源制御部４１４は、前記第２電力停止信号を受信した場合であって、未送信の前記画像データが存在する場合に、前記画像データの送信を継続させることが可能である。
【００５３】
ところで、写真撮影システム１が設定された前記アミューズメント施設では、閉店時に写真撮影システム１の電源を切ることにより省電力化が図られる。しかしながら、写真撮影システム１の電源が切られた時点で未送信の画像データが存在する場合には、ユーザーが写真の撮影日に画像データを取得することができないという問題が懸念される。これに対し、写真撮影システム１では、制御装置３０及び送信装置４０において下記のデータ送信方法により前記画像データが送信されることにより、省電力化を図りつつ、写真の撮影日に画像データが送信されない可能性を低減することが可能である。
【００５４】
［制御装置３０側の処理］
まず、図４〜図８を参照しつつ、制御装置３０において制御部３１により実行されるメイン制御処理、送信制御処理、及び第１電源制御処理の各手順について説明する。なお、制御部３１は、写真撮影システム１の電源の投入後に、前記メイン制御処理（図４参照）及び前記第１電源制御処理（図８参照）を略並行して実行する。
【００５５】
［メイン制御処理］
ここに、図４は、制御部３１で実行される前記メイン制御処理の手順の一例を示すフローチャートである。
【００５６】
＜ステップＳ１＞
まず、ステップＳ１において、制御部３１は、送信装置４０から未通知の前記送信完了通知の有無を確認する未通知確認処理を実行する。具体的に、制御部３１は、送信装置４０に対して、制御装置３０から受領通知を受信していない前記送信完了通知の送信を要求する。これに対し、送信装置４０は、制御装置３０から受領通知を受信していない前記送信完了通知が存在する場合に、前記送信完了通知を再送する。これにより、制御装置３０の電源が切れている状態で送信装置４０からサーバー２００への前記画像データの送信が行われた場合に、その旨を制御部３１が認識することが可能である。そして、制御部３１は、送信装置４０から受信する前記送信完了通知に対応する前記画像データ及び前記キュー情報を第１データ記憶部３２２から消去する。
【００５７】
なお、制御部３１が送信装置４０から受領していない前記送信完了通知の有無を確認するための手法はこれに限らない。例えば、制御装置３０の記憶部３２及び送信装置４０の記憶部４２に送信装置４０により送信が完了した前記画像データを示す履歴情報が記憶されており、制御部３１が、前記履歴情報を比較することにより送信装置４０から受領していない前記送信完了通知の有無を確認することも考えられる。なお、ステップＳ１における前記未通知確認処理は、後述のキュー同期処理におけるステップＳ１２及びステップＳ１３の間に実行されてもよい。
【００５８】
ところで、ステップＳ１が実行されない場合には、制御装置３０又は送信装置４０からサーバー２００に過去に送信した前記画像データが再度送信されることになる可能性がある。しかしながら、サーバー２００が、過去に受信した前記画像データと前記プレイ情報が同一の画像データについては、過去の前記画像データを上書きすること、又は二度目の前記画像データの受信を無視するなどの処理を実行することも考えられる。そのため、ステップＳ１は省略してもよい。
【００５９】
＜ステップＳ１０＞
続いて、ステップＳ１０において、制御部３１は、第１データ記憶部３２２と第２データ記憶部４２２とに記憶されている前記画像データ及び前記キュー情報を同期させるためのキュー同期処理（図５参照）を実行する。なお、前記キュー同期処理については後段で説明する。
【００６０】
＜ステップＳ２＞
次に、ステップＳ２において、制御部３１は、前記送信制御処理（図７参照）を起動させる。これにより、制御部３１では、前記メイン制御処理、前記送信制御処理、及び前記第１電源制御処理が略並行して実行される。
【００６１】
＜ステップＳ３〜Ｓ４＞
そして、制御部３１は、予め設定されたプレイ待機画面を操作表示部１２に表示させ（Ｓ３）、プレイ開始要求を待ち受ける（Ｓ４のＮｏ側）。例えば、制御部３１は、写真撮影システム１に設けられた不図示の料金投入部に所定の金額が投入されたか否かに応じて前記プレイ開始要求の有無を判断する。また、制御部３１は、前記プレイ待機画面に表示されたスタートボタンなどの操作の有無に応じて前記プレイ開始要求の有無を判断してもよい。そして、制御部３１は、プレイ開始要求があったと判断すると（Ｓ４のＹｅｓ側）、処理をステップＳ５に移行させる。
【００６２】
＜ステップＳ５〜Ｓ６＞
ステップＳ５において、制御部３１は、前記撮影処理を実行することにより、撮影コーナー１０内のユーザーをカメラ１１で撮影する。そして、ステップＳ６において、制御部３１は、前記落書き処理を実行することにより、カメラ１１で撮影された画像データを、操作表示部２１に対するユーザー操作に応じて編集する。
【００６３】
＜ステップＳ７〜Ｓ９＞
その後、制御部３１は、前記落書き処理における編集内容を反映させた印刷用の画像データを生成し（Ｓ７）、その生成された画像データをプリンター２４に送信して印刷させる（Ｓ８）。また、ステップＳ９において、制御部３１は、前記落書き処理における編集内容を反映させた送信用の画像データを生成する。
【００６４】
＜ステップＳ２０＞
そして、ステップＳ２０において、制御部３１は、前記画像データを第１データ記憶部３２２又は第２データ記憶部４２２に登録するためのキュー登録処理（図６参照）を実行する。なお、前記キュー登録処理については後段で説明する。
【００６５】
［キュー同期処理］
ここで、図５を参照しつつ、ステップＳ１０で実行される前記キュー同期処理の手順の一例について説明する。
【００６６】
＜ステップＳ１１＞
ステップＳ１１において、制御部３１は、状態判定部３１７により判定される送信装置４０が動作状態であるか否かに応じて処理を分岐する。具体的に、制御部３１は、送信装置４０が動作状態であると判定されている場合には（Ｓ１１のＹｅｓ側）、処理をステップＳ１２に移行させ、送信装置４０が非動作状態であると判定されている場合には（Ｓ１１のＮｏ側）、当該キュー同期処理を終了させる。
【００６７】
＜ステップＳ１２＞
ステップＳ１２において、制御部３１は、第１データ記憶部３２２及び第２データ記憶部４２２に記憶されているキューイングリストＤ１及びキューイングリストＤ２の内容が一致するか否かを判断する。ここで、制御部３１は、キューイングリストＤ１及びＤ２の内容が一致しないと判断した場合には（Ｓ１２のＮｏ側）、処理をステップＳ１３に移行させる。なお、制御部３１は、キューイングリストＤ１及びＤ２の内容が一致すると判断した場合には（Ｓ１２のＹｅｓ側）、当該キュー同期処理を終了させる。
【００６８】
＜ステップＳ１３＞
ステップＳ１３において、制御部３１は、第１データ記憶部３２２に記憶されているキューイングリストＤ１及び前記画像データを第２データ記憶部４２２にコピーして同期させる。これにより、送信装置４０の異常終了などにより第２データ記憶部４２２のキューイングリストＤ２及び前記画像データに破損が生じた場合であっても、未送信の前記画像データを送信装置４０から再送することが可能になる。
【００６９】
［キュー登録処理］
続いて、図６を参照しつつ、ステップＳ２０で実行される前記キュー登録処理の手順の一例について説明する。
【００７０】
＜ステップＳ２１＞
ステップＳ２１において、制御部３１は、ステップＳ９で生成された前記画像データ及び前記画像データに関する前記キュー情報を第１データ記憶部３２２に記憶させる。
【００７１】
＜ステップＳ２２＞
ステップＳ２２において、制御部３１は、ステップＳ１１と同様に、送信装置４０が動作状態であるか否かに応じて処理を分岐する。具体的に、制御部３１は、送信装置４０が動作状態であると判定されている場合には（Ｓ２２のＹｅｓ側）、処理をステップＳ２３に移行させる。また、制御部３１は、送信装置４０が非動作状態であると判定されている場合には（Ｓ２２のＮｏ側）、当該キュー登録処理を終了させる。
【００７２】
＜ステップＳ２３＞
ステップＳ２３において、制御部３１は、ステップＳ２１でデータ記憶部３１２に記憶された前記画像データを送信装置４０に順次送信する。ここに、ステップＳ２３は、第１送信制御部３１５によって実行される。そして、送信装置４０では、前記制御部４１により、前記画像データが第２データ記憶部４２２に記憶され、前記画像データに対応する前記キュー情報がキューイングリストＤ２に上から順に登録される。
【００７３】
なお、前記画像データを送信した後、予め設定された待機時間内に送信装置４０から前記送信完了通知が受信できない場合、制御部３１は、前記画像データを送信装置４０に再送することが考えられる。ここで、制御部３１は、前記画像データの再送を所定回数実行しても前記送信完了通知が受信できない場合、制御部３１は前記画像データの再送信を終了してエラー状態となる。また、制御部３１が、前記画像データの再送を所定回数実行しても前記送信完了通知が受信できない場合に、前記画像データをサーバー２００に直接送信することも考えられる。
【００７４】
［送信制御処理］
次に、図７を参照しつつ、制御部３１により実行される前記送信制御処理の手順の一例について説明する。
【００７５】
＜ステップＳ３１＞
まず、ステップＳ３１において、制御部３１は、ステップＳ１１と同様に、送信装置４０が動作状態であるか否かに応じて処理を分岐する。具体的に、制御部３１は、送信装置４０が動作状態であると判定されている場合には（Ｓ３１のＹｅｓ側）、処理をステップＳ３１１に移行させる。また、制御部３１は、送信装置４０が非動作状態であると判定されている場合には（Ｓ３１のＮｏ側）、処理をステップＳ３２に移行させる。
【００７６】
＜ステップＳ３１１＞
ステップＳ３１１において、制御部３１は、送信装置４０から前記送信完了通知を受信したか否かを判断する。ここで、制御部３１は、前記送信完了通知を受信したと判断すると（Ｓ３１１のＹｅｓ側）、処理をステップＳ３５に移行させる。また、制御部３１は、前記送信完了通知を受信していないと判断すると（Ｓ３１１のＮｏ側）、処理をステップＳ３１２に移行させる。
【００７７】
＜ステップＳ３１２＞
ステップＳ３１２において、制御部３１は、ステップＳ２０と同様の前記キュー同期処理（図５参照）を実行し、処理をステップＳ３１に戻す。このように、制御装置３０は、写真撮影システム１の電源ＯＮ時に限らず、送信装置４０が一時的に非動作状態となった後、復旧した場合にも前記キュー同期処理を実行する。
【００７８】
＜ステップＳ３２＞
一方、ステップＳ３２において、制御部３１は、キューイングリストＤ１に基づいて、第１データ記憶部３２２に未送信の前記画像データが存在するか否かを判断する。ここで、制御部３１は、第１データ記憶部３２２に未送信の前記画像データが存在すると判断した場合は（Ｓ３２のＹｅｓ側）、処理をステップＳ３３に移行させる。また、制御部３１は、第１データ記憶部３２２に未送信の前記画像データが存在していないと判断した場合には（Ｓ３２のＮｏ側）、処理をステップＳ３１に戻す。
【００７９】
＜ステップＳ３３＞
ステップＳ３３において、制御部３１は、第１データ記憶部３２２に記憶されている未送信の前記画像データをサーバー２００に直接送信する。具体的に、制御部３１は、通信Ｉ／Ｆ３３、ルーター７０、無線端末８０を用いて、通信網１００に接続されたサーバー２００に前記画像データを送信する。ここに、ステップＳ３３は、制御部３１の第３送信制御部３１８によって実行される。
【００８０】
このように、写真撮影システム１では、送信装置４０が動作状態である場合には、送信装置４０を経由してサーバー２００に前記画像データが送信されるが、送信装置４０が非動作状態である場合には、制御装置３０によってサーバー２００に前記画像データが送信される。
【００８１】
＜ステップＳ３４＞
その後、ステップＳ３４において、制御部３１は、ステップＳ３３における前記画像データの送信後から、予め設定された待機時間が経過するまでの間に、サーバー２００から受信完了通知を受信したか否かを判断する。ここで、制御部３１は、前記待機時間内に前記受信完了通知を受信していないと判断した場合には（Ｓ３４のＮｏ側）、処理をステップＳ３３に戻して前記画像データの再送を実行する。なお、前記画像データの再送信を所定回数実行しても前記受信完了通知が受信できない場合、制御部３１は前記画像データの再送信を終了してエラー状態となる。また、制御部３１は、前記待機時間内に前記受信完了通知を受信したと判断した場合には（Ｓ３４のＹｅｓ側）、処理をステップＳ３５に移行させる。
【００８２】
＜ステップＳ３５＞
サーバー２００から前記受信完了通知を受信した場合（Ｓ３４のＹｅｓ側）、又は送信装置４０から前記送信完了通知を受信した場合（Ｓ３１１のＹｅｓ側）、制御部３１は、第１データ記憶部３２２から送信済の前記画像データ及び前記キュー情報を消去し（Ｓ３５）、処理をステップＳ３１に戻す。ここに、ステップＳ３５は、制御部３１の第１消去部３１６によって実行される。
【００８３】
即ち、制御装置３０では、前記画像データのサーバー２００への送信が完了するまでの間は、第１データ記憶部３２２から前記画像データが消去されない。これにより、写真撮影システム１では、制御装置３０から送信装置４０に前記画像データが送信された後に、送信装置４０が前記画像データをサーバー２００に送信することができない状況に至った場合であっても、前記画像データを制御装置３０からサーバー２００に直接送信することが可能である。
【００８４】
［第１電源制御処理］
続いて、図８を参照しつつ、制御部３１により実行される前記第１電源制御処理の手順の一例について説明する。ここに、前記第１電源制御処理は、制御部３１の第１電源制御部３１９によって実行される。
【００８５】
＜ステップＳ４１＞
ステップＳ４１において、制御部３１は、ＵＰＳ５０から前記第１電力停止信号を受信したか否かを判断する。ここで、制御部３１は、前記第１電力停止信号を受信したと判断すると（Ｓ４１のＹｅｓ側）、処理をステップＳ４２に移行させ、前記第１電力停止信号を受信していないと判断すると（Ｓ４１のＮｏ側）、処理をステップＳ４１に戻して前記第１電力停止信号の受信を監視する。なお、前記第１電力停止信号を受信した後、即ち商用交流電源２からの電力供給が停止した後は、制御装置３０への電力供給は、ＵＰＳ５０が備える二次電源５１によって行われる。
【００８６】
＜ステップＳ４２＞
ステップＳ４２において、制御部３１は、制御装置３０の電源を正常にＯＦＦにする際に実行される予め設定されたシャットダウン処理を実行し、制御装置３０の電源をＯＦＦにする。このように、制御装置３０では、商用交流電源２からの電力供給が停止した場合には、速やかに前記シャットダウン処理が実行されることにより制御装置３０を正常に電源ＯＦＦの状態にすることができる。もちろん、ＵＰＳ５０が有する二次電源５１は、制御装置３０で前記シャットダウン処理が実行されるまで制御装置３０を稼動させることができる電気容量を有するものである。
【００８７】
［送信装置４０側の処理］
次に、図９及び図１０を参照しつつ、送信装置４０側で制御部４１により実行される代替送信処理及び第２電源制御処理について説明する。なお、制御部４１は、送信装置４０の電源がＯＮである場合に前記代替送信処理及び前記第２電源制御処理を略並行して実行する。
【００８８】
［代替送信処理］
まず、図９を参照しつつ、制御部４１で実行される前記代替送信処理の手順の一例について説明する。
【００８９】
＜ステップＳ５１＞
ステップＳ５１において、制御部４１は、キューイングリストＤ２に基づいて、第２データ記憶部４２２に未送信の前記画像データが存在するか否かを判断する。ここで、制御部４１は、未送信の前記画像データが存在すると判断した場合には（Ｓ５１のＹｅｓ側）、処理をステップＳ５２に移行させる。また、制御部４１は、未送信の前記画像データが存在しないと判断した場合には（Ｓ５１のＮｏ側）、処理をステップＳ５６に移行させる。
【００９０】
＜ステップＳ５２＞
ステップＳ５２において、制御部４１は、第２データ記憶部４２２に記憶されている未送信の前記画像データを、キューイングリストＤ２に基づいて記憶順序の早い前記画像データから順にサーバー２００に送信する。具体的に、制御部４１は、通信Ｉ／Ｆ４３、ルーター７０、無線端末８０を用いて、通信網１００に接続されたサーバー２００に前記画像データを送信する。ここに、ステップＳ５２は、制御部４１の第２送信制御部４１１によって実行される。
【００９１】
＜ステップＳ５３＞
ステップＳ５３において、制御部４１は、ステップＳ５２における前記画像データの送信後から、予め設定された待機時間が経過するまでの間に、サーバー２００から受信完了通知を受信したか否かを判断する。ここで、制御部４１は、前記待機時間内に前記受信完了通知を受信していないと判断した場合には（Ｓ５３のＮｏ側）、処理をステップＳ５２に戻して前記画像データの再送を実行する。また、制御部４１は、前記待機時間内に前記受信完了通知を受信したと判断した場合には（Ｓ５３のＹｅｓ側）、処理をステップＳ５４に移行させる。
【００９２】
＜ステップＳ５４〜Ｓ５５＞
そして、制御部４１は、第２データ記憶部４２２から送信済の前記画像データ及び前記キュー情報を消去し（Ｓ５４）、前記画像データに対応する前記送信完了通知を送信装置４０に送信する（Ｓ５５）。ここに、ステップＳ５４は、制御部４１の第２消去部４１３により実行され、ステップＳ５５は、制御部４１の完了通知部４１２によって実行される。
【００９３】
＜ステップＳ５６〜Ｓ５７＞
ステップＳ５６において、制御部４１は、制御装置３０からの前記画像データの送信を待ち受けており（Ｓ５６のＮｏ側）、前記画像データが送信されたと判断すると（Ｓ５６のＹｅｓ側）、前記画像データの受信処理を実行する（Ｓ５７）。
【００９４】
＜ステップＳ５８＞
そして、ステップＳ５８において、制御部４１は、ステップＳ５７で受信した前記画像データを第２データ記憶部４２２に記憶し、前記画像データに対応する前記キュー情報をキューイングリストＤ２に上から順に登録する。そして、制御部４１は、処理をステップＳ５１に戻す。このように、送信装置４０では、制御部４１によって前記代替送信処理が実行されることにより、制御装置３０から受信する前記画像データが第２データ記憶部４２２に順次記憶されると共に、登録されたキューイングリストＤ２に基づいて、前記画像データ各々は第２データ記憶部４２２に記憶された順番が早いものから順にサーバー２００に送信される。
【００９５】
［第２電源制御処理］
続いて、図１０を参照しつつ、制御部４１により実行される前記第２電源制御処理の手順の一例について説明する。ここに、前記第２電源制御処理は、制御部４１の第２電源制御部４１４によって実行される。
【００９６】
＜ステップＳ６１＞
ステップＳ６１において、制御部４１は、ＵＰＳ６０から前記第２電力停止信号を受信したか否かを判断する。ここで、制御部４１は、前記第２電力停止信号を受信したと判断すると（Ｓ６１のＹｅｓ側）、処理をステップＳ６２に移行させ、前記第２電力停止信号を受信していないと判断すると（Ｓ６１のＮｏ側）、処理をステップＳ６１に戻して前記第２電力停止信号の受信を監視する。なお、前記第２電力停止信号を受信した後、即ち商用交流電源２からの電力供給が停止した後は、送信装置４０への電力供給は、ＵＰＳ６０が備える二次電源６１によって行われる。
【００９７】
＜ステップＳ６２＞
ステップＳ６２において、制御部４１は、キューイングリストＤ２に基づいて、送信装置４０の第２データ記憶部４２２に未送信の前記画像データが存在するか否かを判断する。ここで、制御部４１は、第２データ記憶部４２２に未送信の前記画像データが存在すると判断した場合は（Ｓ６２のＹｅｓ側）、処理をステップＳ６３に移行させる。また、制御部４１は、第２データ記憶部４２２に未送信の前記画像データが存在しないと判断した場合には（Ｓ６２のＮｏ側）、処理をステップＳ６２１に移行させる。
【００９８】
＜ステップＳ６２１＞
第２データ記憶部４２２に未送信の前記画像データが存在しない場合、制御部４１は、ステップＳ６２１において、送信装置４０の電源を正常にＯＦＦする際に実行される予め設定されたシャットダウン処理を実行し、送信装置４０の電源をＯＦＦにする。なお、送信装置４０は、次に商用交流電源２からＵＰＳ６０への電力供給が開始された場合にＵＰＳ６０から送信される起動信号を受信した場合に起動する。ここに、ステップＳ６２１は、制御部４１の第２電源制御部４１４によって実行される。
【００９９】
＜ステップＳ６３＞
一方、ステップＳ６３において、制御部４１は、ＵＰＳ６０から前記電力復旧信号を受信したか否かを判断する。ここで、制御部４１は、前記電力復旧信号を受信したと判断すると（Ｓ６３のＹｅｓ側）、処理をステップＳ６１に戻す。また、制御部４１は、前記電力復旧信号を受信していないと判断している間は（Ｓ６３のＮｏ側）、処理をステップＳ６２に戻して第２データ記憶部４２２に未送信の前記画像データが存在するか否かを繰り返し判断する。
【０１００】
以上説明したように、送信装置４０では、商用交流電源２からの電力供給が停止した場合でも、第２データ記憶部４２２に未送信の前記画像データが存在する場合には、送信装置４０のシャットダウン処理が実行されない。即ち、送信装置４０では、商用交流電源２からの電力供給が停止した場合でも、前記代替送信処理におけるサーバー２００への前記画像データの送信処理が継続して実行される。そのため、例えば写真撮影システム１が設置された前記アミューズメント施設の閉店時などに、写真撮影システム１の電源が切られた場合でも、ＵＰＳ６０の電気容量がなくなるまでの間は、送信装置４０により前記画像データがサーバー２００に送信される。なお、この点は、前述したように商用交流電源２からの電力供給が停止したときに未送信の前記画像データが存在するか否かを判断することなく送信装置４０の稼動が継続する構成であっても同様である。
【０１０１】
従って、写真撮影システム１によれば、写真の撮影日に画像データが送信されない可能性が低減され、ユーザーが写真の撮影日に前記画像データを取得することができる可能性が高まる。特に、写真撮影システム１では、無線端末８０により比較的通信速度の遅い無線通信方式で前記画像データが送信されるため、送信装置４０からサーバー２００への前記画像データの送信に遅延が生じやすく、本願発明が好適である。また、写真撮影システム１の電源切断後も前記画像データが送信されるため、写真撮影システム１が設置されるアミューズメント施設では、閉店時に写真撮影システム１の電源を切ることにより省電力化を図ることができる。
【０１０２】
また、本実施形態のように、送信装置４０が、第２データ記憶部４２２に未送信の前記画像データが存在する場合にのみ、第２送信制御部４１１によって実行される前記画像データの送信処理を継続すれば、ＵＰＳ６０の使用頻度が下がるためＵＰＳ６０の長寿命化を図ることができる。そして、未送信の前記画像データが存在しない場合には送信装置４０を正常なシャットダウン処理を伴って終了するため、送信装置４０における異常発生の可能性を低減することができる。
【０１０３】
さらに、送信装置４０は、制御装置３０とは個別に設けられ、前記画像データを送信することに特化した単純な構成であってよいため、送信装置４０の消費電力を制御装置３０の消費電力に比べて低くすることができる。従って、送信装置４０を長時間稼動させるためのＵＰＳ６０の二次電源６１の電気容量は比較的小さくてもよく、ＵＰＳ６０のサイズ及びコストを抑えることが可能である。
【０１０４】
また、送信装置４０が、通信網１００を介して行われる写真撮影システム１からサーバー２００への画像データの送信処理を担っており、制御装置３０は送信装置４０に直接画像データを送信するだけでよい。そのため、制御装置３０の制御負荷が低減され、制御装置３０は、例えば前記撮影処理又は前記落書き処理などのようにユーザーに提供される遊戯に直接関連する制御処理に集中することができる。
【０１０５】
ところで、写真撮影システム１では、商用交流電源２からの電力供給が停止した後も、送信装置４０が未送信の前記画像データの送信を継続するため、ＵＰＳ６０の容量がなくなった場合に、送信装置４０が前記シャットダウン処理を経ずに終了するおそれがある。しかしながら、写真撮影システム１では、前記画像データがサーバー２００に送信されるまでの間は、制御装置３０にも前記画像データ及び前記キュー情報が記憶されている。そして、制御装置３０は、商用交流電源２からの電力供給が停止したときに前記シャットダウン処理によって正常に電源がＯＦＦになるため、制御装置３０における前記画像データの消失は防止されている。そのため、写真撮影システム１では、仮に送信装置４０で前記画像データが消失した場合でも、制御装置３０からサーバー２００に直接前記画像データを直接送信すること、又は制御装置３０から送信装置４０に再度前記画像データを送信することが可能である。従って、写真撮影システム１では、商用交流電源２からの電力供給が停止した後も送信装置４０が未送信の前記画像データの送信を継続するという構成を、写真撮影システム１の信頼性を損ねることなく実現することができる。
【０１０６】
［受信制御処理］
以下、図１１を参照しつつ、サーバー２００で実行される前記受信制御処理の手順の一例について説明する。
【０１０７】
＜ステップＳ７１〜Ｓ７２＞
まず、ステップＳ７１において、制御部２０１は、写真撮影システム１の制御装置３０又は送信装置４０からの前記画像データの送信を待ち受けている（Ｓ７１のＮｏ側）。そして、制御部２０１は、前記画像データが送信されたと判断すると（Ｓ７１のＹｅｓ側）、前記画像データの受信処理を実行する（Ｓ７２）。
【０１０８】
＜ステップＳ７３〜Ｓ７４＞
その後、制御部２０１は、ステップＳ７２で受信された前記画像データを記憶部２０２に記憶すると共に（Ｓ７３）、前記画像データに含まれる前記プレイ情報を記憶部２０２に記憶されているデータベースに登録する（Ｓ７４）。なお、前記データベースには、前記画像データ各々と前記プレイ情報各々との対応関係が記憶される。これにより、制御部２０１は、通信端末３００のユーザー操作に応じて、サーバー２００の記憶部２０２に記憶されている前記画像データを前記プレイ情報に基づいて抽出することができる。従って、サーバー２００は、例えばユーザーによる通信端末３００からの要求に応じて、所望の前記画像データをダウンロードさせること、又は前記画像データをメールで送信すること等が可能である。
【０１０９】
＜ステップＳ７５＞
また、ステップＳ７５において、制御部２０１は、前記画像データの送信元に対して前記画像データに対応する前記受信完了通知を送信する。これにより、制御装置３０又は送信装置４０では、第１データ記憶部３２２又は第２データ記憶部４２２から前記受信完了通知に対応する前記画像データ及び前記キュー情報が消去される。その後、制御部２０１は、処理をステップＳ７１に戻す。
【符号の説明】
【０１１０】
１  ：写真撮影システム
２  ：商用交流電源
３  ：電源スイッチ
１０：撮影コーナー
２０：落書きコーナー
３０：制御装置
４０：送信装置
５０：ＵＰＳ
６０：ＵＰＳ
７０：ルーター
８０：無線端末
１００：通信網
２００：サーバー
３００：通信端末
【図１】
2015046702.tif 000003
【図２】
2015046702.tif 000004
【図３】
2015046702.tif 000005
【図４】
2015046702.tif 000006
【図５】
2015046702.tif 000007
【図６】
2015046702.tif 000008
【図７】
2015046702.tif 000009
【図８】
2015046702.tif 000010
【図９】
2015046702.tif 000011
【図１０】
2015046702.tif 000012
【図１１】
2015046702.tif 000013